(57)【特許請求の範囲】
【請求項１】
複数の製造工程を順に経て製造される製品の製造単位毎の各工程における開始時刻又は終了時刻を含む製造ログ情報を記憶する第１記憶部と、
製造工程において、品質特性に影響する要因となる各工程特性要因の経時履歴情報を記憶する第２記憶部と、
前記製造ログ情報の時間経過に同期させた工程特性要因の時間軸を生成するとともに、前記経時履歴情報に基づいて工程特性要因の状態又は変化を表す表示オブジェクトを生成して前記時間軸に配置し、工程特性要因のタイムラインオブジェクトを生成する第１生成部と、
複数の工程特性要因それぞれの各タイムラインオブジェクトを並列配置した工程特性要因タイムライン画面をディスプレイ装置に表示させる表示制御部と、を含み、
製品の製造単位毎に、第１の工程の時間軸における前記第１の工程の開始時刻又は終了時刻と、前記第１の工程に続く第２の工程の時間軸であって前記第１の工程の時間軸と平行な時間軸における前記第２の工程の開始時刻又は終了時刻と、を結ぶ線分を生成する第２生成部をさらに含み、
前記表示制御部は、各製造工程に対応した各時間軸及び前記第２生成部によって生成された線分を配置した製造タイムライン画面を前記ディスプレイ装置に表示させるとともに、前記製造タイムライン画面において、いずれかの製造工程を選択可能に制御し、
前記第１生成部は、前記製造タイムライン画面で選択された製造工程の時間経過に同期させた工程特性要因のタイムラインオブジェクトを生成し、
前記表示制御部は、前記製造タイムライン画面での製造工程の選択操作に応じて工程視点の工程特性要因タイムライン画面を表示させるように制御することを特徴とする可視化システム。
【請求項２】
複数の製造工程を順に経て製造される製品の製造単位毎の各工程における開始時刻又は終了時刻を含む製造ログ情報を記憶する第１記憶部と、
製造工程において、品質特性に影響する要因となる各工程特性要因の経時履歴情報を記憶する第２記憶部と、
前記製造ログ情報の時間経過に同期させた工程特性要因の時間軸を生成するとともに、前記経時履歴情報に基づいて工程特性要因の状態又は変化を表す表示オブジェクトを生成して前記時間軸に配置し、工程特性要因のタイムラインオブジェクトを生成する第１生成部と、
複数の工程特性要因それぞれの各タイムラインオブジェクトを並列配置した工程特性要因タイムライン画面をディスプレイ装置に表示させる表示制御部と、を含み、
製品の製造単位毎に、第１の工程の時間軸における前記第１の工程の開始時刻又は終了時刻と、前記第１の工程に続く第２の工程の時間軸であって前記第１の工程の時間軸と平行な時間軸における前記第２の工程の開始時刻又は終了時刻と、を結ぶ線分を生成する第２生成部をさらに含み、
前記表示制御部は、各製造工程に対応した各時間軸及び前記第２生成部によって生成された線分を配置した製造タイムライン画面を前記ディスプレイ装置に表示させるとともに、前記製造タイムライン画面において、いずれかの製品を選択可能に制御し、
前記第１生成部は、前記製造タイムライン画面で選択された製品が通過する複数の製造工程全体の時間経過と同期させた工程特性要因のタイムラインオブジェクトを生成し、
前記表示制御部は、前記製造タイムライン画面での製品の選択操作に応じて製造品視点の工程特性要因タイムライン画面を表示させるように制御することを特徴とする可視化システム。
【請求項３】
複数の製造工程を順に経て製造される製品の製造単位毎の各工程における開始時刻又は終了時刻を含む製造ログ情報を記憶する第１記憶部と、
製造工程において、品質特性に影響する要因となる各工程特性要因の経時履歴情報を記憶する第２記憶部と、
前記製造ログ情報の時間経過に同期させた工程特性要因の時間軸を生成するとともに、前記経時履歴情報に基づいて工程特性要因の状態又は変化を表す表示オブジェクトを生成して前記時間軸に配置し、工程特性要因のタイムラインオブジェクトを生成する第１生成部と、
複数の工程特性要因それぞれの各タイムラインオブジェクトを並列配置した工程特性要因タイムライン画面をディスプレイ装置に表示させる表示制御部と、を含み、
製品の製造単位毎に、第１の工程の時間軸における前記第１の工程の開始時刻又は終了時刻と、前記第１の工程に続く第２の工程の時間軸であって前記第１の工程の時間軸と平行な時間軸における前記第２の工程の開始時刻又は終了時刻と、を結ぶ線分を生成する第２生成部をさらに含み、
前記表示制御部は、各製造工程に対応した各時間軸及び前記第２生成部によって生成された線分を配置した製造タイムライン画面を前記ディスプレイ装置に表示させるとともに、前記製造タイムライン画面において、いずれかの製造工程を選択可能に制御し、
前記第１生成部は、前記製造タイムライン画面で選択された製造工程の時間経過に同期させた工程特性要因のタイムラインオブジェクトを生成し、
前記表示制御部は、前記製造タイムライン画面での製造工程の選択操作に応じて工程視点の工程特性要因タイムライン画面を表示させるように制御し、
前記表示制御部は、工程視点の工程特性要因タイムライン画面において、いずれかの製品を選択可能に制御し、
前記第１生成部は、前記工程視点の工程特性要因タイムライン画面で製品が選択された場合に、製品が通過する複数の製造工程全体の時間経過と同期させた工程特性要因のタイムラインオブジェクトを生成し、
前記表示制御部は、前記工程視点の工程特性要因タイムライン画面での製品の選択操作に応じて製造品視点の工程特性要因タイムライン画面を表示させるように制御することを特徴とする可視化システム。
【請求項４】
複数の製造工程を順に経て製造される製品の製造単位毎の各工程における開始時刻又は終了時刻を含む製造ログ情報を記憶する第１記憶部と、
製造工程において、品質特性に影響する要因となる各工程特性要因の経時履歴情報を記憶する第２記憶部と、
前記製造ログ情報の時間経過に同期させた工程特性要因の時間軸を生成するとともに、前記経時履歴情報に基づいて工程特性要因の状態又は変化を表す表示オブジェクトを生成して前記時間軸に配置し、工程特性要因のタイムラインオブジェクトを生成する第１生成部と、
複数の工程特性要因それぞれの各タイムラインオブジェクトを並列配置した工程特性要因タイムライン画面をディスプレイ装置に表示させる表示制御部と、を含み、
製品の製造単位毎に、第１の工程の時間軸における前記第１の工程の開始時刻又は終了時刻と、前記第１の工程に続く第２の工程の時間軸であって前記第１の工程の時間軸と平行な時間軸における前記第２の工程の開始時刻又は終了時刻と、を結ぶ線分を生成する第２生成部をさらに含み、
前記表示制御部は、各製造工程に対応した各時間軸及び前記第２生成部によって生成された線分を配置した製造タイムライン画面を前記ディスプレイ装置に表示させるとともに、前記製造タイムライン画面において、いずれかの製品を選択可能に制御し、
前記第１生成部は、前記製造タイムライン画面で選択された製品が通過する複数の製造工程全体の時間経過と同期させた工程特性要因のタイムラインオブジェクトを生成し、
前記表示制御部は、前記製造タイムライン画面での製品の選択操作に応じて製造品視点の工程特性要因タイムライン画面を表示させるように制御し、
前記表示制御部は、製造品視点の工程特性要因タイムライン画面において、いずれかの製造工程を選択可能に制御し、
前記第１生成部は、前記製造品視点の工程特性要因タイムライン画面で製造工程が選択された場合に、選択された前記製造工程の時間経過に同期させた工程特性要因のタイムラインオブジェクトを生成し、
前記表示制御部は、前記製造タイムライン画面での製造工程の選択操作に応じて工程視点の工程特性要因タイムライン画面を表示させるように制御することを特徴とする可視化システム。
【請求項５】
工程特性要因は、各工程特性要因に属する１つ以上の項目を含み、
前記経時履歴情報は、前記項目別に蓄積されており、
前記表示制御部は、前記項目の項目選択画面を生成して前記ディスプレイ装置に表示させるとともに、選択される項目の前記経時履歴情報に基づいて、工程特性要因に属する前記項目の状態又は変化を表す項目別表示オブジェクトを生成して前記時間軸に配置し、工程特性要因のタイムラインオブジェクトを生成することを特徴とする請求項１から４のいずれか１つに記載の可視化システム。
【請求項６】
前記表示制御部は、前記ディスプレイ装置に表示された工程特性要因タイムライン画面において任意の時間範囲を指定可能に制御するとともに、指定された時間範囲の区画する補助線を表示することを特徴とする請求項１から５のいずれか１つに記載の可視化システム。
【請求項７】
工程特性要因は、前記製造工程における機械・設備（Machine）、作業者（Man）、原料・材料（Material）、作業方法（Method）を少なくとも含むことを特徴とする請求項１から６のいずれか１つに記載の可視化システム。
【請求項８】
複数の製造工程を順に経て製造される製品の製造単位毎の各工程における開始時刻又は終了時刻を含む製造ログ情報を記憶する第１記憶部と、
製造工程において、品質特性に影響する要因となる各工程特性要因の経時履歴情報を記憶する第２記憶部と、
前記製造ログ情報の時間経過に同期させた工程特性要因の時間軸を生成するとともに、前記経時履歴情報に基づいて工程特性要因の状態又は変化を表す表示オブジェクトを生成して前記時間軸に配置し、工程特性要因のタイムラインオブジェクトを生成する第１生成部と、
複数の工程特性要因それぞれの各タイムラインオブジェクトを並列配置した工程特性要因タイムライン画面をディスプレイ装置に表示させる表示制御部と、を含み、
製品の製造単位毎に、第１の工程の時間軸における前記第１の工程の開始時刻又は終了時刻と、前記第１の工程に続く第２の工程の時間軸であって前記第１の工程の時間軸と平行な時間軸における前記第２の工程の開始時刻又は終了時刻と、を結ぶ線分を生成する第２生成部をさらに含み、
前記表示制御部は、各製造工程に対応した各時間軸及び前記第２生成部によって生成された線分を配置した製造タイムライン画面を前記ディスプレイ装置に表示させるとともに、前記製造タイムライン画面において、いずれかの製造工程を選択可能に制御し、
前記第１生成部は、前記製造タイムライン画面で選択された製造工程の時間経過に同期させた工程特性要因のタイムラインオブジェクトを生成し、
前記表示制御部は、前記製造タイムライン画面での製造工程の選択操作に応じて工程視点の工程特性要因タイムライン画面を表示させるように制御することを特徴とする可視化装置。
【請求項９】
複数の製造工程を順に経て製造される製品の製造単位毎の各工程における開始時刻又は終了時刻を含む製造ログ情報を記憶する第１記憶部と、
製造工程において、品質特性に影響する要因となる各工程特性要因の経時履歴情報を記憶する第２記憶部と、
前記製造ログ情報の時間経過に同期させた工程特性要因の時間軸を生成するとともに、前記経時履歴情報に基づいて工程特性要因の状態又は変化を表す表示オブジェクトを生成して前記時間軸に配置し、工程特性要因のタイムラインオブジェクトを生成する第１生成部と、
複数の工程特性要因それぞれの各タイムラインオブジェクトを並列配置した工程特性要因タイムライン画面をディスプレイ装置に表示させる表示制御部と、を含み、
製品の製造単位毎に、第１の工程の時間軸における前記第１の工程の開始時刻又は終了時刻と、前記第１の工程に続く第２の工程の時間軸であって前記第１の工程の時間軸と平行な時間軸における前記第２の工程の開始時刻又は終了時刻と、を結ぶ線分を生成する第２生成部をさらに含み、
前記表示制御部は、各製造工程に対応した各時間軸及び前記第２生成部によって生成された線分を配置した製造タイムライン画面を前記ディスプレイ装置に表示させるとともに、前記製造タイムライン画面において、いずれかの製品を選択可能に制御し、
前記第１生成部は、前記製造タイムライン画面で選択された製品が通過する複数の製造工程全体の時間経過と同期させた工程特性要因のタイムラインオブジェクトを生成し、
前記表示制御部は、前記製造タイムライン画面での製品の選択操作に応じて製造品視点の工程特性要因タイムライン画面を表示させるように制御することを特徴とする可視化装置。
【請求項１０】
複数の製造工程を順に経て製造される製品の製造単位毎の各工程における開始時刻又は終了時刻を含む製造ログ情報を記憶する第１記憶部と、
製造工程において、品質特性に影響する要因となる各工程特性要因の経時履歴情報を記憶する第２記憶部と、
前記製造ログ情報の時間経過に同期させた工程特性要因の時間軸を生成するとともに、前記経時履歴情報に基づいて工程特性要因の状態又は変化を表す表示オブジェクトを生成して前記時間軸に配置し、工程特性要因のタイムラインオブジェクトを生成する第１生成部と、
複数の工程特性要因それぞれの各タイムラインオブジェクトを並列配置した工程特性要因タイムライン画面をディスプレイ装置に表示させる表示制御部と、を含み、
製品の製造単位毎に、第１の工程の時間軸における前記第１の工程の開始時刻又は終了時刻と、前記第１の工程に続く第２の工程の時間軸であって前記第１の工程の時間軸と平行な時間軸における前記第２の工程の開始時刻又は終了時刻と、を結ぶ線分を生成する第２生成部をさらに含み、
前記表示制御部は、各製造工程に対応した各時間軸及び前記第２生成部によって生成された線分を配置した製造タイムライン画面を前記ディスプレイ装置に表示させるとともに、前記製造タイムライン画面において、いずれかの製造工程を選択可能に制御し、
前記第１生成部は、前記製造タイムライン画面で選択された製造工程の時間経過に同期させた工程特性要因のタイムラインオブジェクトを生成し、
前記表示制御部は、前記製造タイムライン画面での製造工程の選択操作に応じて工程視点の工程特性要因タイムライン画面を表示させるように制御し、
前記表示制御部は、工程視点の工程特性要因タイムライン画面において、いずれかの製品を選択可能に制御し、
前記第１生成部は、前記工程視点の工程特性要因タイムライン画面で製品が選択された場合に、製品が通過する複数の製造工程全体の時間経過と同期させた工程特性要因のタイムラインオブジェクトを生成し、
前記表示制御部は、前記工程視点の工程特性要因タイムライン画面での製品の選択操作に応じて製造品視点の工程特性要因タイムライン画面を表示させるように制御することを特徴とする可視化装置。
【請求項１１】
複数の製造工程を順に経て製造される製品の製造単位毎の各工程における開始時刻又は終了時刻を含む製造ログ情報を記憶する第１記憶部と、
製造工程において、品質特性に影響する要因となる各工程特性要因の経時履歴情報を記憶する第２記憶部と、
前記製造ログ情報の時間経過に同期させた工程特性要因の時間軸を生成するとともに、前記経時履歴情報に基づいて工程特性要因の状態又は変化を表す表示オブジェクトを生成して前記時間軸に配置し、工程特性要因のタイムラインオブジェクトを生成する第１生成部と、
複数の工程特性要因それぞれの各タイムラインオブジェクトを並列配置した工程特性要因タイムライン画面をディスプレイ装置に表示させる表示制御部と、を含み、
製品の製造単位毎に、第１の工程の時間軸における前記第１の工程の開始時刻又は終了時刻と、前記第１の工程に続く第２の工程の時間軸であって前記第１の工程の時間軸と平行な時間軸における前記第２の工程の開始時刻又は終了時刻と、を結ぶ線分を生成する第２生成部をさらに含み、
前記表示制御部は、各製造工程に対応した各時間軸及び前記第２生成部によって生成された線分を配置した製造タイムライン画面を前記ディスプレイ装置に表示させるとともに、前記製造タイムライン画面において、いずれかの製品を選択可能に制御し、
前記第１生成部は、前記製造タイムライン画面で選択された製品が通過する複数の製造工程全体の時間経過と同期させた工程特性要因のタイムラインオブジェクトを生成し、
前記表示制御部は、前記製造タイムライン画面での製品の選択操作に応じて製造品視点の工程特性要因タイムライン画面を表示させるように制御し、
前記表示制御部は、製造品視点の工程特性要因タイムライン画面において、いずれかの製造工程を選択可能に制御し、
前記第１生成部は、前記製造品視点の工程特性要因タイムライン画面で製造工程が選択された場合に、選択された前記製造工程の時間経過に同期させた工程特性要因のタイムラインオブジェクトを生成し、
前記表示制御部は、前記製造タイムライン画面での製造工程の選択操作に応じて工程視点の工程特性要因タイムライン画面を表示させるように制御することを特徴とする可視化装置。
【請求項１２】
製品が複数の製造工程を順に経て製造される製造ラインで発生した工程特性要因の変化を表示する、コンピュータによって実行されるプログラムであって、
製品の製造単位毎の各工程における開始時刻又は終了時刻を含む製造ログ情報を記憶する第１機能と、
製造工程において、品質特性に影響する要因となる各工程特性要因の経時履歴情報を記憶する第２機能と、
前記製造ログ情報の時間経過に同期させた工程特性要因の時間軸を生成するとともに、前記経時履歴情報に基づいて工程特性要因の状態又は変化を表す表示オブジェクトを生成して前記時間軸に配置し、工程特性要因のタイムラインオブジェクトを生成する第３機能と、
複数の工程特性要因それぞれの各タイムラインオブジェクトを並列配置した工程特性要因タイムライン画面をディスプレイ装置に表示させる第４機能と、をコンピュータに実現させ、
さらに、製品の製造単位毎に、第１の工程の時間軸における前記第１の工程の開始時刻又は終了時刻と、前記第１の工程に続く第２の工程の時間軸であって前記第１の工程の時間軸と平行な時間軸における前記第２の工程の開始時刻又は終了時刻と、を結ぶ線分を生成する第５機能をコンピュータに実現させ、
前記第４機能は、各製造工程に対応した各時間軸及び前記第５機能によって生成された線分を配置した製造タイムライン画面を前記ディスプレイ装置に表示させるとともに、前記製造タイムライン画面において、いずれかの製造工程を選択可能に制御し、
前記第３機能は、前記製造タイムライン画面で選択された製造工程の時間経過に同期させた工程特性要因のタイムラインオブジェクトを生成し、
前記第４機能は、前記製造タイムライン画面での製造工程の選択操作に応じて工程視点の工程特性要因タイムライン画面を表示させるように制御することを特徴とするプログラム。
【請求項１３】
製品が複数の製造工程を順に経て製造される製造ラインで発生した工程特性要因の変化を表示する、コンピュータによって実行されるプログラムであって、
製品の製造単位毎の各工程における開始時刻又は終了時刻を含む製造ログ情報を記憶する第１機能と、
製造工程において、品質特性に影響する要因となる各工程特性要因の経時履歴情報を記憶する第２機能と、
前記製造ログ情報の時間経過に同期させた工程特性要因の時間軸を生成するとともに、前記経時履歴情報に基づいて工程特性要因の状態又は変化を表す表示オブジェクトを生成して前記時間軸に配置し、工程特性要因のタイムラインオブジェクトを生成する第３機能と、
複数の工程特性要因それぞれの各タイムラインオブジェクトを並列配置した工程特性要因タイムライン画面をディスプレイ装置に表示させる第４機能と、をコンピュータに実現させ、
さらに、製品の製造単位毎に、第１の工程の時間軸における前記第１の工程の開始時刻又は終了時刻と、前記第１の工程に続く第２の工程の時間軸であって前記第１の工程の時間軸と平行な時間軸における前記第２の工程の開始時刻又は終了時刻と、を結ぶ線分を生成する第５機能をコンピュータに実現させ、
前記第４機能は、各製造工程に対応した各時間軸及び前記第５機能によって生成された線分を配置した製造タイムライン画面を前記ディスプレイ装置に表示させるとともに、前記製造タイムライン画面において、いずれかの製品を選択可能に制御し、
前記第３機能は、前記製造タイムライン画面で選択された製品が通過する複数の製造工程全体の時間経過と同期させた工程特性要因のタイムラインオブジェクトを生成し、
前記第４機能は、前記製造タイムライン画面での製品の選択操作に応じて製造品視点の工程特性要因タイムライン画面を表示させるように制御することを特徴とするプログラム。
【請求項１４】
製品が複数の製造工程を順に経て製造される製造ラインで発生した工程特性要因の変化を表示する、コンピュータによって実行されるプログラムであって、
製品の製造単位毎の各工程における開始時刻又は終了時刻を含む製造ログ情報を記憶する第１機能と、
製造工程において、品質特性に影響する要因となる各工程特性要因の経時履歴情報を記憶する第２機能と、
前記製造ログ情報の時間経過に同期させた工程特性要因の時間軸を生成するとともに、前記経時履歴情報に基づいて工程特性要因の状態又は変化を表す表示オブジェクトを生成して前記時間軸に配置し、工程特性要因のタイムラインオブジェクトを生成する第３機能と、
複数の工程特性要因それぞれの各タイムラインオブジェクトを並列配置した工程特性要因タイムライン画面をディスプレイ装置に表示させる第４機能と、をコンピュータに実現させ、
さらに、製品の製造単位毎に、第１の工程の時間軸における前記第１の工程の開始時刻又は終了時刻と、前記第１の工程に続く第２の工程の時間軸であって前記第１の工程の時間軸と平行な時間軸における前記第２の工程の開始時刻又は終了時刻と、を結ぶ線分を生成する第５機能をコンピュータに実現させ、
前記第４機能は、各製造工程に対応した各時間軸及び前記第５機能によって生成された線分を配置した製造タイムライン画面を前記ディスプレイ装置に表示させるとともに、前記製造タイムライン画面において、いずれかの製造工程を選択可能に制御し、
前記第３機能は、前記製造タイムライン画面で選択された製造工程の時間経過に同期させた工程特性要因のタイムラインオブジェクトを生成し、
前記第４機能は、前記製造タイムライン画面での製造工程の選択操作に応じて工程視点の工程特性要因タイムライン画面を表示させるように制御し、
前記第４機能は、工程視点の工程特性要因タイムライン画面において、いずれかの製品を選択可能に制御し、
前記第３機能は、前記工程視点の工程特性要因タイムライン画面で製品が選択された場合に、製品が通過する複数の製造工程全体の時間経過と同期させた工程特性要因のタイムラインオブジェクトを生成し、
前記第４機能は、前記工程視点の工程特性要因タイムライン画面での製品の選択操作に応じて製造品視点の工程特性要因タイムライン画面を表示させるように制御することを特徴とするプログラム。
【請求項１５】
製品が複数の製造工程を順に経て製造される製造ラインで発生した工程特性要因の変化を表示する、コンピュータによって実行されるプログラムであって、
製品の製造単位毎の各工程における開始時刻又は終了時刻を含む製造ログ情報を記憶する第１機能と、
製造工程において、品質特性に影響する要因となる各工程特性要因の経時履歴情報を記憶する第２機能と、
前記製造ログ情報の時間経過に同期させた工程特性要因の時間軸を生成するとともに、前記経時履歴情報に基づいて工程特性要因の状態又は変化を表す表示オブジェクトを生成して前記時間軸に配置し、工程特性要因のタイムラインオブジェクトを生成する第３機能と、
複数の工程特性要因それぞれの各タイムラインオブジェクトを並列配置した工程特性要因タイムライン画面をディスプレイ装置に表示させる第４機能と、をコンピュータに実現させ、
さらに、製品の製造単位毎に、第１の工程の時間軸における前記第１の工程の開始時刻又は終了時刻と、前記第１の工程に続く第２の工程の時間軸であって前記第１の工程の時間軸と平行な時間軸における前記第２の工程の開始時刻又は終了時刻と、を結ぶ線分を生成する第５機能をコンピュータに実現させ、
前記第４機能は、各製造工程に対応した各時間軸及び前記第５機能によって生成された線分を配置した製造タイムライン画面を前記ディスプレイ装置に表示させるとともに、前記製造タイムライン画面において、いずれかの製品を選択可能に制御し、
前記第３機能は、前記製造タイムライン画面で選択された製品が通過する複数の製造工程全体の時間経過と同期させた工程特性要因のタイムラインオブジェクトを生成し、
前記第４機能は、前記製造タイムライン画面での製品の選択操作に応じて製造品視点の工程特性要因タイムライン画面を表示させるように制御し、
前記第４機能は、製造品視点の工程特性要因タイムライン画面において、いずれかの製造工程を選択可能に制御し、
前記第３機能は、前記製造品視点の工程特性要因タイムライン画面で製造工程が選択された場合に、選択された前記製造工程の時間経過に同期させた工程特性要因のタイムラインオブジェクトを生成し、
前記第４機能は、前記製造タイムライン画面での製造工程の選択操作に応じて工程視点の工程特性要因タイムライン画面を表示させるように制御することを特徴とするプログラム。
【発明の詳細な説明】
【技術分野】
【０００１】
本発明の実施形態は、製造プロセスの工程特性要因を可視化する技術に関する。
【背景技術】
【０００２】
従来から、複数の製造工程を順に経て製造される製品の製造状況を可視化する技術とし
て、ガントチャートがある。ガントチャートは、縦軸に時系列に連続する複数の製造工程
を配置し、横軸に複数の製造工程毎に平行に伸びる時間軸を配置する。そして、製品の製
造単位（ロット）毎に、各製造工程の時間軸上に開始時刻や終了時刻をプロットし、平行
に並べられた各時間軸上の開始時刻や終了時刻同士を線分で結ぶことで、製造単位での製
造状況を可視化することができる。
【先行技術文献】
【特許文献】
【０００３】
【特許文献１】特開２００９−０２５８５１号公報
【特許文献２】特開２０１０−０４０００７号公報
【発明の概要】
【発明が解決しようとする課題】
【０００４】
製造工程を経て製造される製品の製造状況に対し、製造状況のタイムラインと同期させ
て製造工程で発生した工程特性要因の変化を同じタイムライン上で視認可能に表示するこ
とができる可視化システムを提供する。
【課題を解決するための手段】
【０００５】
実施形態の可視化システムは、複数の製造工程を順に経て製造される製品の製造単位毎の各工程における開始時刻又は終了時刻を含む製造ログ情報を記憶する第１記憶部と、製造工程において、品質特性に影響する要因となる各工程特性要因の経時履歴情報を記憶する第２記憶部と、前記製造ログ情報の時間経過に同期させた工程特性要因の時間軸を生成するとともに、前記経時履歴情報に基づいて工程特性要因の状態又は変化を表す表示オブジェクトを生成して前記時間軸に配置し、工程特性要因のタイムラインオブジェクトを生成する第１生成部と、複数の工程特性要因それぞれの各タイムラインオブジェクトを並列配置した工程特性要因タイムライン画面をディスプレイ装置に表示させる表示制御部と、を含む。また、製品の製造単位毎に、第１の工程の時間軸における前記第１の工程の開始時刻又は終了時刻と、前記第１の工程に続く第２の工程の時間軸であって前記第１の工程の時間軸と平行な時間軸における前記第２の工程の開始時刻又は終了時刻と、を結ぶ線分を生成する第２生成部をさらに含むことができ、前記表示制御部は、各製造工程に対応した各時間軸及び前記第２生成部によって生成された線分を配置した製造タイムライン画面を前記ディスプレイ装置に表示させるとともに、前記製造タイムライン画面において、いずれかの製造工程を選択可能に制御し、前記第１生成部は、前記製造タイムライン画面で選択された製造工程の時間経過に同期させた工程特性要因のタイムラインオブジェクトを生成し、前記表示制御部は、前記製造タイムライン画面での製造工程の選択操作に応じて工程視点の工程特性要因タイムライン画面を表示させるように制御することができる。
【図面の簡単な説明】
【０００６】
【図１】第１実施形態の可視化システムの構成ブロック図である。
【図２】第１実施形態の製造実績のデータ例を示す図である。
【図３】第１実施形態の製造実績のデータ例であり、データモデルに蓄積されるデータ構造定義で整理された実績レコードの一例を示す図である。
【図４】第１実施形態の設備管理実績データの一例を示す図である。
【図５】第１実施形態の工程特性要因のデータ例を示す図である。
【図６】第１実施形態の可視化機能の説明図である。
【図７】第１実施形態の製造状況の可視化例であり、製造工程別タイムチャートの一例を示す図である。
【図８】第１実施形態のグラフ表示選択画面の一例を示す図である。
【図９】第１実施形態の設備（工程）視点の５Ｍ１Ｅタイムラインチャートの一例である。
【図１０】第１実施形態の製造品視点の５Ｍ１Ｅタイムラインチャートの一例である。
【図１１】第１実施形態の強調表示例を示す図である。
【図１２】第１実施形態の製造状況表示例を示す図である。
【図１２Ａ】第１実施形態の製造状況表示例の詳細を示す図である。
【発明を実施するための最良の形態】
【０００７】
以下、実施形態につき、図面を参照して説明する。なお、複数の製造工程を例に以下で
は説明するが、廃棄物を複数の工程を経て資源ゴミに生成するような廃棄物生成ラインや
炉で燃焼させてゴミ処理するゴミ処理ライン、新聞等の印刷物を印刷する印刷ラインなど
、複数の工程を経て結果物を得る仕組みをも「製造」の概念に包含することができ、本発
明の対象となる。即ち、本発明における「製品」や「製造」は、物が生成されることに限
定されない。
【０００８】
（第１実施形態）
図１は、第１実施形態に係る可視化システム１００の構成図である。可視化システム１
００は、制御装置１１０及び記憶装置１２０を含んで構成され、無線接続又は有線接続で
表示装置３００が接続される。表示装置３００は、コンピュータ３０１やタブレット型コ
ンピュータ３０２、多機能携帯電話機、ＰＤＡ(Personal Digital Assistant)等のディス
プレイ装置を備える表示端末であり、適宜、データ通信機能及び演算機能（ＣＰＵ等）を
備えることができる。
【０００９】
なお、本実施形態では、表示装置３００が可視化システム１００に個別に接続された一
例を示しているが、これに限るものではない。例えば、可視化システム１００にディスプ
レイ装置を接続することで、可視化システム１００の機能を含む表示装置として、本実施
形態の可視化システム１００を構成することもできる。つまり、本実施形態の可視化シス
テムは、１つの表示装置として構成することもできる。
【００１０】
本実施形態の可視化システム１００は、複数の製造工程を順に経て製造される製品の製
造状況を可視化して、表示装置３００に表示する可視化機能を提供する。記憶装置１２０
には、製造計画１２１、製造実績１２２、及び工程特性要因１２３などの各履歴が、複数
の製造工程毎に記憶されている。
【００１１】
記憶装置１２０に記憶される各種情報は、図１に示すように所定の製造管理システムか
ら提供される情報である。製造管理システムは、主に、製造計画・基本情報から製造プロ
セスの実績情報までの各種情報を各データソースから収集して蓄積する。
【００１２】
製造計画１２１の一例としては、生産計画、使用する装置／機器の情報、生産量計画値
、製造ラインのタイムスケジュール計画値（製造ラインを構成する各工程のタイムスケジ
ュール計画値を含む）などがある。
【００１３】
製造実績１２２の一例としては、製品の製造単位毎に製造された製品に関する情報（製
造ラインを構成する工程毎の開始時刻、終了時刻、処理時間など）、稼働している設備の
状況、環境情報、検査結果、生産量実績、後述する品質管理に基づく変化履歴などの実績
値（工程特性要因の変化ログ）などがある。製造実績１２２は、製品の製造ラインを構成
する各製造工程における設備機器やセンサ機器などをデータソースとして収集される情報
が時系列に記憶され、センサ機器から取得されるセンサ値を含むように構成することもで
きる。
【００１４】
図２は、製造実績１２２のデータ例を示す図である。図２の例では、生産の単位として
の同一種類の製品の集まり（製品の製造単位：ロット）が、複数の各工程を流れる態様を
示している。製造実績１２２は、製造ラインを構成する複数の各製造工程と、製造ライン
を流れる製品のロットＩＤとが対応付けられ、ロットＩＤ毎に、各工程の開始時刻、終了
時刻、処理時間（終了時刻−開始時刻）が対応付けられている。製造工程は、予め生産計
画に基づいて決められた工程順に工程ＩＤが連番で割り当てられている。
【００１５】
ロットＩＤは、例えば、製造される製品の製品単位毎に一意に付される番号である。つ
まり、同一のロットＩＤで紐付く複数の製品が製造され、各製品には個別にユニークな製
造番号が割り当てられる。一方、ロットは、生産の単位としての同一種類の製品の集まり
、すなわち、同じ条件のもとに製造する製品の生産の最小単位であり、１以上の製品が含
まれる。したがって、本実施形態の可視化システム１００は、ロットだけではなくて生産
の単位が「１」である場合の製造単位において適用可能である。
【００１６】
図２に示す製造実績１２２において、ロットＩＤ「Ｒ００１」に係る製品についての工
程１が時刻「１０：５０：００」に開始され、時刻「１１：０５：００」に終了したこと
を示している。また、ロットＩＤ「Ｒ００１」に係る製品は、後続の工程２が時刻「１１
：０６：００」に開始され、時刻「１１：１１：００」に終了したことを示している。更
に、ロットＩＤ「Ｒ００２」に係る製品は、ロットＩＤ「Ｒ００１」に引き続いて工程１
に投入される。その際、ロットＩＤ「Ｒ００２」についての工程１が時刻「１１：０５：
０５」に開始され、時刻「１１：２０：０５」に終了したことを示している。また、ロッ
トＩＤ「Ｒ００２」に係る製品について、後続の工程２が時刻「１１：２１：０５」に開
始され、時刻「１１：２６：０５」に終了したことを示している。
【００１７】
図２で示した製造実績１２２の一例は、製品単位で複数の各工程の実績を抽出した一例
であるが、製造実績１２２の他の例としては、所定のデータ構造定義を用いて構造化して
蓄積することができる。例えば、「主体物（Who）」、「対象物（Whome）」、「事象（Wh
at）」、「時間（When）」、「場所（Where）」、「状況（How）」（５Ｗ１Ｈ）から構成
されるデータ構造定義（テンプレート化されたデータモデル）を用い、データソースから
収集された事実・実績データを蓄積することができる。
【００１８】
図３に示すように、データソースの主体を「主体物」として、「主体物」がどの対象物
に対して何をしたのか（「事象」）を整理し、蓄積することができる。例えば、ＭＥＳ（
Manufacturing Execution System）を介してデータソースである設備１から情報を収集す
る。設備１は、製造計画に基づく製造プロセスで稼働しており、稼働実績がリアルタイム
で製造管理システムに収集される。このとき、設備１における製造プロセスで行われた事
実とそのときの状態、状況が、データ構造定義を使用して整理され、設備２が（主体物）
、ある製造品番の製品を対象に（対象物）、組立（事象）を行った実績が生成される。デ
ータ構造定義に基づいて生成される実績レコードは、時系列にデータモデルに蓄積される
。
【００１９】
図３の上段は、製造・稼働実績データの一例を示している。また、製造・稼働実績デー
タの対象物それぞれの詳細な実績は、図３の２段目に示す製造レシピ実績データに格納さ
れている。製造レシピ実績データにおいて、設備機器から収集及び蓄積される情報は、「
対象物」、「時間」、及び「状況（製造パラメータ）」の実測値である。また、製造レシ
ピ実績データには、「状況」において、リアルタイムに検出されるセンサ値が蓄積される
。センサ値は、設備１に設けられたセンサ機器から出力されるセンサ情報や設備１とは個
別に設けられた設備１の状況を把握するためのセンサ機器から出力されるセンサ情報であ
る。
【００２０】
センサ情報は、所定の時間間隔で時系列に検出されたセンサ値群を含んで構成される。
センサ値群の各データは、各製造プロセスと対応付けて記憶されている。蓄積されるセン
サ情報は、各製造プロセスで設備機器から出力されるセンサ値や製造や検査で必要なセン
サ値を含んでおり、時系列の要素を含んでいる。
【００２１】
なお、図２に示す製造実績１２２は、このようなデータモデルを用いて蓄積された情報
から抽出することもできる。つまり、「対象物」が各製品であり、「事象」又は「場所」
が各製造工程に相当する。また、「事象」には、１つ又は複数の製造工程が含まれ、例え
ば、「場所：基板組立工程の基板組立第一ライン第三ステーション」では「事象」として
基板組立が行われるが、図３の製造レシピ実績データに示すように、「事象」には、ＣＰ
Ｕ実装やメモリ実装など複数の工程が含まれることになる。したがって、図３及び図４の
態様で蓄積された情報は、図２に例示した製造実績１２２と同様の情報が含まれており、
複数の各工程を流れる各製品の状況を把握することができる。
【００２２】
また、図３に示すように、製造・稼働実績データは、検査設備１による検査プロセスも
含んでおり、製造品質検査データにおいて、設備機器から収集及び蓄積される情報は、「
対象物」、「時間」、「状況（検査結果）」の実績値である。また、製造プロセスで使用
される製品の受入検査実績データが格納される。このような受入検査実績をデータモデル
として蓄積しておくことで、製品を構成する各構成品の購入履歴及び購入した構成品の製
造履歴を把握することができる。
【００２３】
図４は、設備管理実績データの一例を示す図であり、設備管理実績データは、設備アラ
ート履歴と設備メンテナンス履歴とを含んで構成されている。設備アラート履歴は、どの
設備機器が、いつ異常が発生し、その異常はなんなのか、異常が発生した結果としてどの
ような措置が取られたかを規定している。設備メンテナンス履歴は、どの作業者が、どの
設備機器に対して、どのようなメンテナンス（部品交換や修理など）をいつ行ったのか、
そのメンテナンスで交換した部品の履歴（シリアルＩＤ）を規定したものである。これら
もデータ構造定義を用いて整理され、実績レコードとして蓄積される。
【００２４】
図１に示す工程特性要因１２３は、所定の品質管理ルールに基づく変化履歴である。例
えば、「４Ｍ」、「５Ｍ」、「５Ｍ１Ｅ」、「６Ｍ」と呼ばれる製造工程における、品質
特性に影響する要因となる工程特性要因（Process Characteristic Factor）がある。管
理対象により異なるが、「４Ｍ」は機械加工の現場においては、人（Man）、機械（Machi
ne）、材料（Material）、方法（Method）、また事故や災害の原因分析や対策検討におい
ては、人(Man)、機械(Machine)、媒体・環境(Media)、管理（Management）の４要素を有
する。「５Ｍ」は、工場の品質管理分類に用いられ、作業者（Man）、機械・設備（Machi
ne）、原料・材料（Material）、作業方法（Method）、測定（Measurement）の５要素を
有する。更に環境によって製造工程が安定しない場合があり、「５Ｍ」に環境（Environm
ent）が加わった「５Ｍ１Ｅ」、や「５Ｍ」に、全体プロセスをコントロールするための
マネジメント（Management）が加わった「６Ｍ」により品質管理がなされる。これら「４
Ｍ」、「５Ｍ」、「５Ｍ１Ｅ」、「６Ｍ」はそれぞれの各頭文字をとったものであり、各
要因（ファクター）の属性（区分）を有する。
【００２５】
作業者（Man）は、例えば、作業者の能力によって不良品の発生率が異なる場合があり
、作業者の作業履歴や、変更履歴（担当者Ａから担当者Ｂに交代した履歴）を工程特性要
因の変化ログとして蓄積する。例えば、図３に示す受入検査実績データが工程特性要因の
人（Man）と紐付けられる。すなわち、製造・稼働実績データの対象物である構成品品番
（Ｄ−００１）、シリアルＩＤ（３１２３５〜）のマザーボードを（対象物）、２０１６
年８月２５日１０：００に、受入検査担当者Ａ（担当者シリアルＩＤ５５５５）が、Ａ社
から購入した実績が格納されており、受入検査担当者Ａによる作業により、Ａ社から購入
した構成品が、Ａ社のＢ工場で製造されたものであることを把握することができる。
【００２６】
機械・設備（Machine）は、例えば、機械・設備によって製品の品質特性が違う場合が
あったり、機械・設備の入れ替えや調整などのメンテナンスを行うことで品質特定が違う
場合があったりする。機械・設備の変更履歴（メンテナンス履歴）を蓄積することができ
る。図３に示す製造・稼働実績データ、製造レシピ実績データ、製造品質検査データ、図
４に示す設備アラート履歴、設備メンテナンス履歴の各データが工程特性要因の機械・設
備（Machine）と紐付けられる。
【００２７】
原料・材料（Material）は、例えば、同じ原材料でも購入先や銘柄によって製品収率が
異なる場合がある。原料・材料の変更履歴（調達先の変更や原材料の変化などの履歴）を
蓄積することができる。例えば、図３に示す調達実績データが工程特性要因の原料・材料
（Material）と紐付けられる。
【００２８】
作業方法（Method）は、例えば、作業方法が変わると作業効率が違ったり、複数の作業
方法の手順が変わると作業効率が違ったりする。作業方法の変更履歴（手順や作業内容の
変化）を蓄積することができる。例えば、図３に示す製造レシピ実績データが工程特性要
因の作業方法（Method）と紐付けられ、対象物に対して流量△△で半田が塗布されて半田
付けされている状況を把握することができる。
【００２９】
測定（Measurement）は、例えば、測定者、測定機器、測定方法などによって測定値が
異なったり、安定しなかったりする場合がある。測定の変更履歴（測定者、測定機器、測
定方法の変更、測定の有無、測定結果）を蓄積することができる。例えば、図３に示す製
造品質検査データが工程特性要因の測定（Measurement）と紐付けられ、対象物に対して
検査が実施され、その結果に問題無しの実績（状況）が格納され、何に対してどのような
確認（測定方法）を行ったかを把握することができる。
【００３０】
環境（Environment）は、例えば、温度、湿度、季節、時間、振動、音、光などが変化
すると、製造の工程（検査工程を含む）が安定しなかったりする場合がある。環境の変更
履歴（製造の各工程の環境変化、例えば、センサ出力値）を蓄積することができる。上述
した各製造プロセスと対応付けて時系列に記憶されているセンサ値群が工程特性要因の環
境（Environment）と紐付けられる。
【００３１】
なお、「５Ｍ１Ｅ」の各要因（ファクター）の属性について説明したが、「４Ｍ」、「
５Ｍ」、「６Ｍ」についても同様に、各要素の変更履歴を変化ログとして蓄積することが
できる。尚、「４Ｍ」における媒体・環境(Media)は、作業環境、マニュアル、作業情報
など、主に作業者（Man）と原料・材料（Material）の媒体となるものが関与した要因が
該当する。「６Ｍ」におけるマネジメント（Management）は、例えば、他社との差別化、
人材育成など、工場を将来どの方向に導いていくかのマネジメントを意味する。
【００３２】
図５は、工程特性要因１２３のデータ例を示す図である。ここでは、「５Ｍ」を例に説
明する。図５に示すように、工程特性要因１２３は、変化点コード、変化属性区分（５Ｍ
区分）、発生時刻、記録者情報、工程ＩＤ、発生ロットＩＤ、詳細（工程特性要因がどの
ように変化したかの説明）、センサ測定値などの項目が含まれる。工程特性要因１２３は
、工程特性要因の変化が発生した場合に、発生した変化属性区分を特定し、かつ工程特性
要因の変化が発生した工程及びそのとき処理していたロットＩＤを特定する情報である。
【００３３】
工程特性要因１２３は、記録者情報に記憶された作業員が作成する作業日報に基づいて
蓄積されたり、製造管理システムから収集された工程特性要因の変化を示す信号に基づい
て自動的に工程特性要因１２３を生成して蓄積したりすることができる。また、作業員が
操作するタブレット端末の操作・入力履歴や発話音声を収集して蓄積して活用することも
できる。図５の例において、Man属性の変化が工程１において発生し、作業員がＡさんか
らＢさんに交代し、その時のロットＩＤが「ＺＤ１−１５０１０７」であることを示して
いる。
【００３４】
また、Measurement属性の変化が工程１において発生し、作業員Ｂさんが設備機器に対
する所定の検査を実施し、その時のロットＩＤが「ＺＤ１−１５０１０７」であることを
示している。
【００３５】
さらに、Machine属性の変化が工程１において発生し、作業員Ｂさんが設備機器に対す
る所定のメンテナンスを実施し、そのときのロットＩＤが「ＺＤ１−１５０１０７」であ
ることを示している。このとき、Machine属性変化は、３つの変化が生じており、温度設
定の変更、アーム角度の変更及びアームスピードの変更の３つの変化が生じている。
【００３６】
なお、記憶装置１２０に記憶される各種情報は、製造管理システムを介さずに直接各デ
ータソースから収集された情報が記憶されるように構成することもできる。この場合、可
視化システム１００の制御装置１１０は、各データソースから収集された情報を、編集・
加工して、複数の製造工程を順に経て製造される製品の製造状況を可視化するための各種
情報を生成する情報処理機能を備えることができる。
【００３７】
また、工程特性要因１２３は、上述のように製造実績１２２に含まれて収集される場合
もある。このため、製造管理システムから工程特性要因１２３として個別に受け取らなく
ても、可視化システム１００側で、製造管理システムから受け取った情報に基づいて、製
造実績１２２や工程特性要因１２３などの製造状況を可視化するための各種情報を生成す
る情報処理機能を備えるように構成することもできる。
【００３８】
次に、本実施形態の可視化処理について説明する。図６は、本実施形態の可視化機能の
説明図であり、製造実績に基づく製造工程別タイムチャート（製造単位別製造状況チャー
ト）と、工程特性要因に基づく５Ｍ１Ｅタイムラインチャートと、が含まれる。
【００３９】
図７は、製造実績に基づく製造工程別タイムチャートの一例を示す図であり、複数の製
造工程を順に経て製造される製品の製造状況を可視化した表示例である。横軸が時間、縦
軸が時系列に連続する各製造工程である。このとき、各工程の時間軸Ｔ１〜Ｔ６は、各製
造工程に対してそれぞれ設けられ、製造工程毎に複数の時間軸Ｔ１，Ｔ２，Ｔ３，Ｔ４，
Ｔ５，Ｔ６が平行に上から順に並べられている。時間軸Ｔ１は、Ｐｒｏｃｅｓｓ１の開始
時刻であり、「〇」で示した表示オブジェクトが、各製品を示している。時間軸Ｔ２は、
Ｐｒｏｃｅｓｓ２の開始時刻である。なお、説明の便宜上、Ｐｒｏｃｅｓｓ１の終了時刻
とＰｒｏｃｅｓｓ２の開始時刻が一致している態様を示しているが、Ｐｒｏｃｅｓｓ１の
終了時刻とＰｒｏｃｅｓｓ２の開始時刻とが異なっていてもよい。時間軸Ｔ３〜Ｔ５につ
いても同様である。また、時間軸Ｔ６は、Ｐｒｏｃｅｓｓ５の終了時刻がプロットされる
時間軸である。
【００４０】
本実施形態の制御装置１１０は、生成部１１２を備えている。生成部１１２は、ロット
ＩＤ毎に、各製造工程の開始時刻を製造実績１２２から取得する。第１生成部１１２は、
製品の製造単位（ロット）毎に、第１の工程１（Ｐｒｏｃｅｓｓ１）の時間軸Ｔ１におけ
る当該第１の工程１の開始時刻と、第１の工程１に続く第２の工程２（Ｐｒｏｃｅｓｓ２
）の時間軸であって第１の工程１の時間軸Ｔ１と平行な時間軸Ｔ２における第２の工程２
の開始時刻と、を結ぶ線分を生成する。このとき、各製造工程に対応するそれぞれの時間
軸Ｔ１，Ｔ２上に開始時刻を示すマークをプロットし、プロットされた各時間軸Ｔ１，Ｔ
２上のマークを工程間で結ぶ線分（開始時刻同士を工程１，２間で結ぶ線分）を生成する
。同様に、第２の工程２の時間軸Ｔ２における当該第２の工程２の開始時刻と、第２の工
程２に続く第３の工程３（Ｐｒｏｃｅｓｓ３）の時間軸であって第２の工程２の時間軸Ｔ
２と平行な時間軸Ｔ３における第３の工程３の開始時刻と、を結ぶ線分を生成する。第３
の工程３に続く第４の工程４（Ｐｒｏｃｅｓｓ４）及び第４の工程４に続く第５の工程５
（Ｐｒｏｃｅｓｓ５）の各時間軸Ｔ４，Ｔ５についても、同様に開始時刻を示すマーク及
び線分の生成が行われる。
【００４１】
このように、生成部１１２は、製造ラインにおける一の製造単位（製品又はロット）に
関して時系列に連続する製造工程順に、各製造工程に対応するそれぞれの時間軸上の各開
始時刻を製造工程間同士で結ぶ線分を生成し、製造工程別タイムチャートを作成する。こ
れらの時間軸Ｔ１〜Ｔ６は、縦軸方向において同じ時刻である。
【００４２】
次に、５Ｍ１Ｅタイムラインチャートについて説明する。例えば、製造工程別タイムチ
ャートにおいて複数の各製造工程のいずれか１つを選択可能に制御し、選択された１つの
製造工程を対象とした５Ｍ１Ｅタイムラインチャートを生成・表示するように制御するこ
とができる。このとき、製造工程の選択制御と共に、タイムライン上の時間範囲も選択可
能に制御することもできる。
【００４３】
図６に示すように、横軸が時間、縦軸が各工程特性要因であり、時間軸上に各工程特性
要因の変化ログが表示される。図６の例は、ガントチャート形式の表示例である。上述の
ように工程特定要因１２３は、時系列に変化ログを蓄積しているので、Machine属性の変
化ログをタイムラインで表すことができ、所定時間範囲内に「停止」の変化ログがある場
合、「停止」の変化ログが発生している区間をタイムライン上に表示することができる。
また、一例として、所定時間範囲内の「稼働」を示す稼働タイムラインオブジェクトと、
「停止」を示す停止タイムラインオブジェクトを時系列に並べて表示し、「停止」の区間
とそれ以外の区間（「稼働」している区間））とを区別可能に表示することができる。
【００４４】
人（Man）、材料（Material）、方法（Method）の各工程特性要因についても同様であ
り、Man属性の変化ログ（例えば、交代）に基づいて、佐藤さんが作業又は担当していた
時間範囲と、交代した田中さんが作業又は担当していた時間範囲とをそれぞれタイムライ
ン上に表示することができる。材料（Material）は、その時間帯に製造されている製品に
利用した材料のロットＩＤを、時系列にタイムライン上に表現することができる。
【００４５】
方法（Method）は、例えば、その工程において実施される加工条件であり、センサαで
示す値からセンサβで示す値に変更されたことを示すオブジェクトをタイムライン上に表
現している。測定（Measurement）は、測定機器の精度、測定条件、測定方法に関する変
化点を意味するが、検査値や結果に用途を拡大し、例えば、検査項目の結果（ＯＫ「〇」
、ＮＧ「×」）を表すオブジェクトをタイムライン上にプロットして表示することができ
る。環境（Environment）は、例えば、センサ値の時間変化を表示することができ、セン
サ値を時系列の折れ線グラフで表現することができる。
【００４６】
５Ｍ１Ｅタイムラインチャートの表示制御において、縦軸に表示する工程特性要因は、
図８に示すグラフ表示選択画面で選択することができる。工程特性要因は、上述のように
、５Ｍ１Ｅの場合、機械・設備（Machine）、人（Man）、材料（Material）、方法（Meth
od）、測定（Measurement）、環境（Environment）の各工程特性要因を含むと共に、各工
程特性要因は、１つ又は複数の項目を含むように構成することができる。
【００４７】
例えば、工程特性要因「設備（Machine）」は、設備稼働状態、設備イベント、製造作
業（作った製造品、組付・使った部材）、加工条件（レシピ）、測定・検査結果、治工具
・金型、設備メンテナンスなどの項目を含むことができる。工程特性要因「人（Man）」
は、作業員名、音声、動作、状態などの各項目を含むことができる。工程特性要因「環境
（Environment）」は、温度、湿度、濃度、外気温度、外気湿度、送気温度、送気湿度、
振動などの項目を含むことができる。
【００４８】
本実施形態では、図６に示すように、５Ｍ１Ｅで構成される各工程特性要因の変化をそ
れぞれ異なるタイムラインで表現することができる。さらに、表示方法の工夫として、５
Ｍ１Ｅの工程特性要因カテゴリを大分類として設定し、中項目として各工程特性要因カテ
ゴリに表示させたい項目を設定可能に構成している。工程特性要因「人（Man）」の項目
は、作業員名、音声、動作、状態などであり、人（Man）属性項目である。また、工程特
性要因「環境（Environment）」の項目は、温度、湿度、濃度、外気温度、外気湿度、送
気温度、送気湿度、振動などの「環境（Environment）」属性項目である。
【００４９】
一方で、工程特性要因「設備（Machine）」の項目は、「設備（Machine）」属性の「設
備稼働状態」や「設備イベント」、「設備メンテナンス」の他に、他の工程特性要因であ
る材料（Material）に属する「組付・使った部材」、測定（Measurement）に属する「測
定・検査結果（品質検査）」、方法（Method）に属する「加工条件（レシピ）、治工具・
金型」などが、作った製造品にかかわる工程特性要因として選択可能に制御される。
【００５０】
例えば、稼働状況やメンテナンス履歴の各項目を「設備（Machine）」として表示する
だけでなく、「設備（Machine）」の視点から、他の工程特性要因の項目をまとめて表示
することで、１つの工程特性要因の視点から他の工程特性要因のタイムライン上の状況（
変化）を把握できるようにする。工程特性要因カテゴリ「設備（Machine）」のタイムラ
インと同期させて、工程特性要因「材料（Material）」に属する「組付・使った部材」、
や「測定（Measurement）」に属する「測定・検査結果（品質検査）」、「方法（Method
）」に属する「加工条件（レシピ）、治工具・金型」などを表示するように制御する。
【００５１】
５Ｍ１Ｅタイムラインチャートを表示させるにあたり、事前に又はその都度、図８に示
すグラフ表示選択画面で、各工程特性要因カテゴリの視点において表示させたい各項目を
選択することができる。また、予め設定した項目に対してさらに項目を追加したり、項目
を削除（非表示）にしたりすることもでき、この場合においても図８に示すグラフ表示選
択画面で項目の追加・削除の各操作が行えるように制御する。
【００５２】
本実施形態では、工程特性要因の状態及び変化が経時履歴情報として蓄積される。尚、
これらの各工程特性要因は、属する１つ以上の項目を含んでいる。経時履歴情報は、これ
ら各項目別に蓄積するように構成されている。表示制御部１１１は、グラフ表示選択画面
を生成して表示装置３００に表示させる。生成部１１２は、選択される項目の経時履歴情
報に基づいて、工程特性要因に属する項目の状態又は変化を表す項目別表示オブジェクト
を生成して時間軸に配置し、工程特性要因のタイムラインオブジェクトを生成する。表示
制御部１１１は、時間軸上に配置された項目別表示オブジェクトそれぞれの各タイムライ
ンオブジェクトを並列配置した５Ｍ１Ｅタイムラインチャート（工程特性要因タイムライ
ン画面）を表示装置３００に表示させる。
【００５３】
次、本実施形態の５Ｍ１Ｅタイムラインチャートについて説明する。５Ｍ１Ｅタイムラ
インチャートは、図９に示す設備視点の５Ｍ１Ｅタイムラインチャートと、図１０に示す
製品視点の５Ｍ１Ｅタイムラインチャートと、がある。
【００５４】
＜設備視点の５Ｍ１Ｅタイムラインチャート＞
設備視点の５Ｍ１Ｅタイムラインチャートは、例えば、良品、不良品の製品について比
較をしたい場合に表示する。製造工程で、同じ設備を利用して製造された製品（同一製品
、類似製品どちらの場合もあり）で良品と不良品が発生した場合に、設備に問題があるの
か製品自体に問題があるのかを分析する必要がある。このようなときは、設備視点の５Ｍ
１Ｅタイムラインチャートで、対象としている製品を当該設備で製造した際に設備に与え
た条件や、設備からの測定結果（センサー情報等）といった情報を表示する。
【００５５】
図９の例では、設備の稼働状況がタイムライン（時間軸）上に棒グラフで表示され、稼
働状況が「稼働中」である場合と、「停止中である場合とで異なる色の棒グラフで表示さ
れるようにしている。つまり、工程特性要因の履歴は、稼働中である時間帯と停止中であ
る時間帯とがそれぞれ蓄積されており、表示する時間範囲内の変化ログに「停止」の履歴
が存在する場合、その区間を稼働中の区間とは異なる態様で表示するように、タイムライ
ンオブジェクト（時間軸）を生成して表示する。
【００５６】
また、項目「設備メンテナンス」（表示上は「メンテナンス」）は、メンテナンスが行
われた時間又は時間帯を示す表示マークをタイムライン上に表示している。項目「製造作
業」（表示上は製品）は、そのタイムラインにおいて設備に投入された各製品を時間軸上
にプロットしたものである。つまり、その設備で処理された各製品がプロットされる。こ
のとき、各製品のプロットは、良品と不良品とを区別できるように表示することができる
。良品と不良品の属性は、製品毎の検査結果から取得することができる。設備視点の５Ｍ
１Ｅタイムラインチャートの表示項目として、図８の画面で「製造作業」項目が選択され
た場合は、各製品の属性情報（ロットＩＤ、開始時刻、良品／不良品）を製造実績１２２
から取得して、タイムライン上にプロットする。
【００５７】
＜製造品視点＞
製造品視点の５Ｍ１Ｅタイムラインチャートは、１つの対象製品の視点から工程特定要
因の変化を時系列にタイムライン上に表現したものである。例えば、設備視点の５Ｍ１Ｅ
タイムラインチャートで設備の状態を確認し、設備的には問題がないだろうと判断された
場合に、対象製品に関する詳細情報を確認するために表示させることができる。
【００５８】
このとき、良品、不良品の製品比較を行うこともできる。この場合は、それぞれ個別の
製造品視点の５Ｍ１Ｅタイムラインチャートを一度に表示したり、切り替え表示したりす
ることもできる。例えば、設備視点の５Ｍ１Ｅタイムラインチャートにおいて、項目「製
造作業」（表示上は「製品」）の不良品の製造品を選択すると、選択された不良の製造品
を対象にした製造品視点の５Ｍ１Ｅタイムラインチャートを生成して表示するように構成
することができる。なお、設備視点の５Ｍ１Ｅタイムラインチャートから製造品視点の５
Ｍ１Ｅタイムラインチャートに切り替える態様について説明したが、対象製品を特定し、
設備視点の５Ｍ１Ｅタイムラインチャートを介さずに（表示させずに）直接製造品視点の
５Ｍ１Ｅタイムラインチャートを表示するように構成することも可能である。
【００５９】
図１０は、１つの製品が、複数の製造工程を順に流れる例を示している。したがって、
項目「工程」のタイムラインは、複数の各工程の処理時間（実績値）に合わせてタイムラ
イン上の工程それぞれを表現している。このとき、各工程の名称や処理内容などを表示す
るように構成することもできる。そして、項目「設備」では、設備の稼働状況や設備イベ
ント、メンテナンス履歴が、対象製品を視点とするタイムライン上で同期して表現される
。材料や測定の各項目についても同様である。製造品視点の５Ｍ１Ｅタイムラインチャー
トは、複数の各製造工程で使用した各設備について示される設備視点の５Ｍ１Ｅタイムラ
インチャートそれぞれを、１つの製造品の視点で編集したものと言える。
【００６０】
ここで、５Ｍ１Ｅタイムラインチャートの使い方について詳細に説明する。例えば、設
備視点の５Ｍ１Ｅタイムラインチャートを表示するまでの操作として、図７に示した製造
プロセス状況の表示画面において、不良品となった製品の所定時間における工程を選択す
る。このとき、デフォルトで、例えば８時間分など設定しておき、その時間範囲で５Ｍ１
Ｅタイムラインチャートを生成し、表示させるように構成することができる。
【００６１】
設備視点の５Ｍ１Ｅタイムラインチャートを選択すると、「グラフ表示選択」のポップ
アップ画面が表示される。ユーザは、表示したい工程特定要因の各項目を選択する。この
とき、項目は、予め設定しておくことも可能であり、この場合は、グラフ表示選択処理を
スキップすることができる。図７でユーザが選択操作を行うと、選択した製品、設備（工
程）に該当する情報のうち、表示範囲となる設備に関する所定時間分の情報を製造実績１
２２及び工程特性要因１２３から抽出する。そして、グラフ表示選択画面において予め又
はリアルタイムに選択された表示項目の情報を製造実績１２２及び工程特性要因１２３か
ら抽出する。
【００６２】
図９は、工程特定要因「設備（Machine）」のデフォルト項目の「設備稼動状態」、「
設備イベント」に加え、「製造作業」が選択された場合の設備視点の５Ｍ１Ｅタイムライ
ンチャート表示例である。画面表示では、「設備稼働状態」を「稼動」、「設備イベント
」を「イベント」、「製造作業」を「製品」と称して表示している。また、工程特性要因
「人（Man）」の情報として「音声」、「動作」の項目が表示されている。表示範囲は、
起点となる時間（００：０２）の前後２時間分の該当設備に関する情報を表示している。
なお、最初に製造実績１２２及び工程特性要因１２３から抽出する情報は、デフォルト項
目に関する情報となるが、ユーザ操作により表示項目に変更があった場合には、選択され
た項目の情報を、そのタイミングで取得して表示する。
【００６３】
例えば、図９に示す設備視点の５Ｍ１Ｅタイムラインチャートにおいて、特定の時間に
おける、「製品」（項目名「製造作業」のタイムライン上にプロットされている製造品の
表示オブジェクトを選択すると、図１０に示すような製造品視点の５Ｍ１Ｅタイムライン
チャートに切り替わる。
【００６４】
図１１は、設備視点の５Ｍ１Ｅタイムラインチャートにおいて、「その時間で起きたも
の」を見やすくするための機能を説明するための図であり、全体を見るよりも、どの時点
を見ているかを分かりやすくしたものである。その手法としては、タイムラインの所定の
区間を指定し、タイムラインを縦軸方向に線（補助線）Ｈで区切ったり、指定された区間
を切り取りして拡大したポップアップ画面を生成して表示したりするように構成してもよ
い。
【００６５】
図１０に示す製造品視点の５Ｍ１Ｅタイムラインチャートでは、図９に示す設備視点の
５Ｍ１Ｅタイムラインチャートと同様、予め設定されたデフォルト項目を表示する。図９
には示していないが、デフォルト項目としては、「加工条件（レシピ）」、「計測結果」
」、「試験結果（良／不良）」、「設備イベント」などがある。表示する時間範囲（時間
幅）についても、設備視点の５Ｍ１Ｅタイムラインチャートと同様、予め設定された時間
分、または、設備視点の５Ｍ１Ｅタイムラインチャートにおいて製品を指定した場合、指
定した製品の時刻の前後〇時間分などと設定しておくことができる。製造品視点の５Ｍ１
Ｅタイムラインチャートも、設備視点の５Ｍ１Ｅタイムラインチャートと同様に、図８の
グラフ表示選択画面において、表示項目の選択が可能に制御される。
【００６６】
このように本実施形態では、工程特定要因の５Ｍ１Ｅを同じ時間軸で見せることで、時
系列に連続する工程に対して工程特性要因の変化との関係を直観的に把握することができ
る。つまり、複数の工程特性要因の各変化を製造状況のタイムラインと同期させた時間軸
で表現することで、何が起きたのか（又は何も起こっていないのか）を直観的に把握し易
くすることができる。
【００６７】
製造の過程で起こりえる不良の原因は様々であるため、基本的には設備の状態（設備視
点の５Ｍ１Ｅタイムラインチャート）から判断するのが一般的である。そこで本実施形態
に示すように、２つの視点における各５Ｍ１Ｅタイムラインチャートを表示可能とするこ
とで、製品の製造履歴も見ることができる。そのため、俯瞰的な見方にプラスして、主観
的な見方の組み合わせにより、不良品の原因究明の精度を高めることができる。
【００６８】
本実施形態の可視化システムは、複数の製造工程を順に経て製造される製品の製造単位
毎の各工程における開始時刻又は終了時刻を含む製造ログ情報が製造実績１２２として記
憶装置１２０に記憶されている。また、製造工程における機械・設備（Machine）、作業
者（Man）、原料・材料（Material）、作業方法（Method）の各工程特性要因の経時履歴
情報（工程特性要因の変化ログを含む時系列の状態把握）が工程特性要因１２３として記
憶装置１２０に記憶されている。
【００６９】
制御装置１１０は、表示制御部１１１と生成部１１２を含み、生成部１１２は、第１生
成部及び第２生成部を含むように構成することができる。なお、第２生成部は、上述した
製造工程別タイムチャート（製造タイムライン画面）の表示オブジェクトを生成する。
【００７０】
第１生成部は、製造ログ情報の時間経過に同期させた工程特性要因の時間軸を生成する
。それとともに、経時履歴情報に基づいて工程特性要因の状態又は変化を表す表示オブジ
ェクトを生成して時間軸に配置し、工程特性要因のタイムラインオブジェクトを生成する
ことができる。表示制御部１１１は、複数の工程特性要因それぞれの各タイムラインオブ
ジェクトを並列配置した５Ｍ１Ｅタイムラインチャート（工程特性要因タイムライン画面
）を表示装置３００に表示させる。
【００７１】
ここで、５Ｍ１Ｅタイムラインチャートは、設備（工程）視点と製造品視点の２つの表
示態様を含むことができる。例えば、図７に示す製造工程別タイムチャート（製造タイム
ライン画面）において、表示制御部１１１は、いずれかの製造工程を選択可能に制御する
。そして、第１生成部は、製造タイムライン画面で選択された製造工程の時間経過に同期
させた工程特性要因のタイムラインオブジェクトを生成する。表示制御部１１１は、製造
タイムライン画面での製造工程の選択操作に応じて工程視点の工程特性要因タイムライン
画面（設備視点の５Ｍ１Ｅタイムラインチャート）を表示させるように制御することがで
きる。
【００７２】
一方、図７に示す製造工程別タイムチャート（製造タイムライン画面）において、表示
制御部１１１は、いずれかの製品を選択可能に制御する。そして、第１生成部は、製造タ
イムライン画面で選択された製品が通過する複数の製造工程全体の時間経過と同期させた
工程特性要因のタイムラインオブジェクトを生成する。表示制御部１１１は、製造タイム
ライン画面での製品の選択操作に応じて製造品視点の工程特性要因タイムライン画面（製
造品視点の５Ｍ１Ｅタイムラインチャート）を表示させるように制御することができる。
【００７３】
設備（工程）視点の５Ｍ１Ｅタイムラインチャートと製造品視点５Ｍ１Ｅタイムライン
チャートは、連携した表示切替が可能である。一例として、表示制御部１１１は、図７に
示す製造工程別タイムチャート（製造タイムライン画面）において、いずれかの製造工程
を選択可能に制御し、選択された設備視点の工程特性要因タイムライン画面（図９）を表
示させる。そして、表示制御部１１１は、設備視点の工程特性要因タイムライン画面にお
いて、いずれかの製品を選択可能に制御し、設備視点の工程特性要因タイムライン画面で
の製品の選択操作に応じて製造品視点の工程特性要因タイムライン画面（図１０）を表示
させるように制御することができる。
【００７４】
＜活用事例＞
ａ）まず、基本条件を入力するする。例えば、いつ、どこで作った製品を見たいかの観点
で、所定の画面（不図示）を通じ、期間、製品、起点となる場所（ライン、工程、設備）
を指定することができる。これらの基本条件に該当する実績データを抽出し、図７に示す
ような製造プロセス状況画面（製造実績に基づく製造工程別タイムチャート）を表示する
。
【００７５】
例えば、指定した条件が期間と特定の製品の場合は、図７の例示において、該当する特
定の製品の線分のみが示され、他の製品の線分が表示されないように表示制御を行うこと
ができる。一方、指定した条件が期間と起点となる場所（ライン、工程、設備）の場合は
、指定した期間内の起点となる場所の製造全てが対象となり、図７の例示のように、指定
した期間内を流れる各製品に対応する複数の各線分を表示するように制御する。
【００７６】
ｂ）次に、図７の製造プロセス状況画面において、特定の工程を指定すると、設備視点か
製造品視点のどちらで表示するかを指定可能な選択画面が表示される。設備視点を指定し
た場合は、図９に示す画面が表示される。このとき、最初は、デフォルト設定された項目
を表示する。一方、製造品視点が指定された場合は、図１０に示す画面が表示される。こ
のときも、最初は、デフォルト設定された項目を表示する。なお、設備視点か製造品視点
のどちらで表示するかを指定可能に制御しているが、例えば、上記ａ）の基本条件入力操
作後に、自動的に設備視点、製造品視点のどちらかが表示されるようにデフォルト設定す
るように構成してもよい。
【００７７】
ｃ）上述したように、図９、図１０に示す画面において、図８に示すグラフ表示選択画面
を表示させるように制御することができる。図８のグラフ表示選択画面で図９、図１０に
示す画面に表示する追加項目が選択されると、制御装置１１０は、選択された項目に該当
する実績データを抽出し、項目表示追加および該当データを追加表示する。なお、項目の
削除操作も可能であり、選択された削除項目以外の項目を含む設備（工程）視点の５Ｍ１
Ｅタイムラインチャートや製造品視点５Ｍ１Ｅタイムラインチャートの更新処理を行う。
【００７８】
ｄ）画面の切り替えは、上述の基本条件設定に基づく製造プロセス状況画面からの選択の
みならず、図９に示す設備視点の５Ｍ１Ｅタイムラインチャート、図１０に示す製品視点
の５Ｍ１Ｅタイムラインチャート内での操作に基づき設備視点、製造品視点の画面表示切
り替えを行うこともできる。図９の画面で製品が選択されると、選択により特定された製
品の実績データを抽出し、図１０の製造品視点の画面を表示する。一方、図１０の画面で
工程が選択されると、選択により特定された工程の実績データを抽出し、図９の設備視点
の画面を表示する。
【００７９】
また、上記実施形態では、設備視点、製品視点のタイムラインチャート表示および、設備視点、製品視点の切り替え表示について説明したが、続いて設備視点の製造作業にフォーカスした表示について、図１２および図１２Ａを参照して説明する。
【００８０】
図１２は、第１実施形態の製造状況表示例を示す図である。図１２Ａは、第１実施形態の製造状況表示例の詳細を示す図である。
【００８１】
上述の図９に示す設備視点のタイムラインチャート表示は、良品、不良品の製品について比較する場合に有効な表示形態であるが、製造作業が比較的長い場合、図９に示す現状の点（プロット）だけの表示だと各製品の作業期間がわかりづらく、５Ｍ１Ｅ変化点と製造作業との関連が把握しにくい課題がある。
【００８２】
そこで、図９に示す設備視点のタイムラインチャート上の製造作業（図中表示は製造）に表示された、時間軸上にプロットされた所定の点（起点）を指示（指定）すると（図１２の（ａ））、制御装置１１０の生成部１１２は、該当製品に関する、指定された時間を含む所定範囲の製造実績情報を記憶装置１２０の製造実績１２２から取得する。そして、取得した製造実績の開始時間および終了時間に基づく時系列データを生成する。表示制御部１１２は、生成部１１２で生成された時系列データを表示装置３００にバー表示する（図１２の（ｂ））。
【００８３】
このバー表示は、図１２Ａに示すように、生成部１１２が生成した、製品実績の各ロットＩＤの製造開始時間、終了時間に基づく各時系列データ（図１２Ａの（ｃ））を、同一の時間軸上に重ね合わせてバー表示している（図１２Ａの（ｂ））。そのため、所定の時間内に複数のロットが順次投入されている場合には、重なり具合に応じて、１つのロットのみが投入されている場合よりも濃い表示となる。
【００８４】
続いて、製造状況表示に係る詳細な処理について説明する。
【００８５】
表示制御部１１１により、図９に示す設備視点のタイムラインチャートが表示された状態において、表示軸となっている工程特性要因の「製造作業（図中は製造）」にプロットされた特定の製品情報を示した点に係る詳細情報の参照指示がなされると、生成部１１２は該当製品および時間を含む製造実績情報を記憶部１２０に記憶されている製造実績１２２から取得する。
【００８６】
図９は、ある製品の工程（Process２）に係る設備視点の情報を表示した画面であるが、例えばこの画面上の製品作業（図中表示は製造）の１３：００にプロットされた点が参照指示されると、生成部１１２は、図２に示す製造実績から該当製品の工程２（Process２）の情報を参照し、指定された時間の前後（所定時間分）の情報を取得する。
【００８７】
具体的には、工程２のロットＩＤ「Ｒ０１１」の製造実績が指定されたことになるため、生成部１１２は、工程２の実績として記録されている、所定時間分に相当する情報として、該当するロットＩＤの開始時間および終了時間を取得する。ここでは、該当する情報の一部として、「Ｒ０１０」「Ｒ０１１」の２つの情報を利用して説明する。表示制御部１１１は、生成部１１２が取得した情報に基づき生成した時系列情報を利用して、順番に図１２Ａの（ｂ）のバー表示欄に表示する。すなわち、最初に「Ｒ０１０」の開始時間（１２：５８：３０）から終了時間（１３：０１：３０）の時間の長さ分のバーを表示する。続いて、「Ｒ０１１」の開始時間（１２：５９：００）から終了時間（１３：０２：００）の時間の長さ分のバーも同じ時間軸上に表示する。このとき、「Ｒ０１１」の開始時間が「Ｒ０１０」の終了時間よりも前の時間となっているので、それぞれの時間の長さ分のバーを同じ位置に表示するため重なりが生じ、表示画面では重なり部分の色が濃くなる。
【００８８】
このように、製品の製造作業を製造実績情報に基づき１つの領域にバー表示することにより、各工程の作業が問題なく行われている場合は、製品の流れがスムーズになるため、重なり具合が均等となるが、何等かの事情で作業が滞留した場合には、重なり具体が不均等となり、滞留した部分が他の部分よりも色濃くなったり、薄くなったりするため、一目で作業の状況を把握することができる。また、バーで示された個々の製品の製造作業期間と５Ｍ１Ｅ変化点の関係も把握することができる。
【００８９】
以上、本実施形態について説明したが、上述の可視化システム１００を構成する各機能
は、プログラムによって実現可能であり、各機能を実現するために予め用意されたコンピ
ュータプログラムが補助記憶装置に格納され、ＣＰＵ等の制御部が補助記憶装置に格納さ
れたプログラムを主記憶装置に読み出し、主記憶装置に読み出された該プログラムを制御
部が実行することで、各部の機能を動作させることができる。
【００９０】
また、上記プログラムは、コンピュータ読取可能な記録媒体に記録された状態で、コン
ピュータに提供することも可能である。コンピュータ読取可能な記録媒体としては、ＣＤ
−ＲＯＭ等の光ディスク、ＤＶＤ−ＲＯＭ等の相変化型光ディスク、ＭＯ（Magnet Optic
al）やＭＤ(Mini Disk)などの光磁気ディスク、フロッピー（登録商標）ディスクやリム
ーバブルハードディスクなどの磁気ディスク、コンパクトフラッシュ（登録商標）、スマ
ートメディア、SDメモリカード、メモリスティック等のメモリカードが挙げられる。また
、本発明の目的のために特別に設計されて構成された集積回路（ICチップ等）等のハード
ウェア装置も記録媒体として含まれる。
【００９１】
なお、本発明の実施形態を説明したが、当該実施形態は、例として提示したものであり
、発明の範囲を限定することは意図していない。この新規な実施形態は、その他の様々な
形態で実施されることが可能であり、発明の要旨を逸脱しない範囲で、種々の省略、置き
換え、変更を行うことができる。これら実施形態やその変形は、発明の範囲や要旨に含ま
れるとともに、特許請求の範囲に記載された発明とその均等の範囲に含まれる。
【符号の説明】
【００９２】
１００  可視化システム
１１０  制御装置
１１１  表示制御部
１１２  生成部
１２０  記憶装置
１２１  製造計画
１２２  製造実績
１２３  工程特性要因
３００  表示装置
【図１】
0006957669.tif 000002
【図２】
0006957669.tif 000003
【図３】
0006957669.tif 000004
【図４】
0006957669.tif 000005
【図５】
0006957669.tif 000006
【図６】
0006957669.tif 000007
【図７】
0006957669.tif 000008
【図８】
0006957669.tif 000009
【図９】
0006957669.tif 000010
【図１０】
0006957669.tif 000011
【図１１】
0006957669.tif 000012
【図１２】
0006957669.tif 000013
【図１２Ａ】
0006957669.tif 000014